(57)【要約】【課題】  打錠性が良好で、かつ、コーヒーフィルター及び配管の目詰まりを起こしにくく、コーヒーマシンを傷つけにくいコーヒーマシン用タブレット洗浄剤を提供する。【解決手段】  （Ａ）アルカリ剤、（Ｂ）キレート剤及び（Ｃ）滑沢剤を含み、上記（Ｃ）滑沢剤が、アニオン界面活性剤であることを特徴とするコーヒーマシン用タブレット洗浄剤。【選択図】  なし【特許請求の範囲】
【請求項１】
（Ａ）アルカリ剤、（Ｂ）キレート剤及び（Ｃ）滑沢剤を含み、
前記（Ｃ）滑沢剤が、アニオン界面活性剤であることを特徴とするコーヒーマシン用タブレット洗浄剤。
【請求項２】
前記（Ｃ）滑沢剤の水に対する５０℃での溶解度が１ｇ／１００ｇ以上である請求項１に記載のコーヒーマシン用タブレット洗浄剤。
【請求項３】
前記（Ｃ）滑沢剤は、ラウリン酸ナトリウム、ラウリン酸カリウム、ミリスチン酸ナトリウム、ミリスチン酸カリウム、アルキル硫酸ナトリウム、アルキル硫酸カリウム、α−オレフィンスルホン酸ナトリウム、α−オレフィンスルホン酸カリウム、第二級アルカンスルホン酸ナトリウム及び第二級アルカンスルホン酸カリウムからなる群から選択される少なくとも一種である請求項１又は２に記載のコーヒーマシン用タブレット洗浄剤。
【請求項４】
前記（Ｃ）滑沢剤の含有量は、０．５〜２０重量％である請求項１〜３のいずれかに記載のコーヒーマシン用タブレット洗浄剤。
【請求項５】
前記（Ａ）アルカリ剤は、アルカリ金属の水酸化物、炭酸塩、炭酸水素塩又はケイ酸塩である請求項１〜４のいずれかに記載のコーヒーマシン用タブレット洗浄剤。
【請求項６】
前記（Ａ）アルカリ剤は、水酸化ナトリウム、水酸化カリウム、炭酸ナトリウム、炭酸カリウム、炭酸水素ナトリウム、炭酸水素カリウム、ケイ酸ナトリウム、ケイ酸カリウム及びこれらの水和物からなる群から選択される少なくとも一種である請求項１〜５のいずれかに記載のコーヒーマシン用タブレット洗浄剤。
【請求項７】
前記（Ｂ）キレート剤は、アミノカルボン酸系キレート剤、ホスホン酸系キレート剤、ヒドロキシカルボン酸系キレート剤及び多価カルボン酸系キレート剤からなる群から選択される少なくとも一種である請求項１〜６のいずれかに記載のコーヒーマシン用タブレット洗浄剤。
【請求項８】
さらに（Ｄ）酸素系漂白剤を含む請求項１〜７のいずれかに記載のコーヒーマシン用タブレット洗浄剤。
【請求項９】
前記（Ｄ）酸素系漂白剤は、アルカリ金属過炭酸塩、アルカリ金属過硫酸塩及びアルカリ金属過ホウ酸塩からなる群から選択される少なくとも一種である請求項８に記載のコーヒーマシン用タブレット洗浄剤。
【請求項１０】
（Ａ）アルカリ剤、（Ｂ）キレート剤及び（Ｃ）滑沢剤を含み、前記（Ｃ）滑沢剤がアニオン界面活性剤である粉末状の洗浄剤組成物を打錠機で打錠することを特徴とするコーヒーマシン用タブレット洗浄剤の製造方法。
【発明の詳細な説明】
【技術分野】
【０００１】
本発明は、コーヒーマシン用タブレット洗浄剤及びコーヒーマシン用タブレット洗浄剤の製造方法に関する。
【背景技術】
【０００２】
飲食店やコンビニエンスストア等の店舗において、顧客の要求に応じて１杯ずつコーヒーを抽出、提供するコーヒーマシンが使用されている。コーヒーマシンは風味を向上させるために、コーヒー豆を粉砕した後、目の細かい金属製のコーヒーフィルター上に落下させ、上から熱湯や高い蒸気圧をかけて1杯ずつ抽出する仕組みが一般的である。このようなコーヒーマシンは定期的に洗浄する必要があるが、コーヒー液が流れる部分（以下、コーヒーラインともいう）をマシン本体から容易に取り外せないことが多い。そのため、コーヒーラインを洗浄する際は、洗浄剤をコーヒーマシン内部に投入し、コーヒーマシン本体に搭載された洗浄モードを使用することで洗浄されることが多い。
【０００３】
コーヒー由来の汚れ（以下、コーヒー汚れともいう）は、色素汚れだけでなく脂質や多糖類、タンパク質等の有機汚れが複合したものであるため、緑茶や紅茶の着色汚れと比較して洗浄しにくいなどの問題があった。特許文献１には、このようなコーヒー汚れに特化した洗浄剤組成物が開示されている。
【先行技術文献】
【特許文献】
【０００４】
【特許文献１】特開２０１７−２２２７６８号公報
【発明の概要】
【発明が解決しようとする課題】
【０００５】
店舗に設置されたコーヒーマシンでは定期的に洗浄される必要があることから、所定量の洗浄剤組成物を計量してマシンに投入するという手間を省くため、毎回決まった分量を使用することができる錠剤（タブレット）の洗浄剤が求められている。
しかしながら、特許文献１に記載された洗浄剤組成物では、コーヒー汚れに対して充分な洗浄性を示すものの、打錠する際には、モールド（臼や杵ともいう）に対する組成物の付着（スティッキングともいう）や、モールドから取り出した錠剤の側面に傷が入る（バインディングともいう）等の打錠障害が発生するため、大量生産に向いていないといった問題があった。
打錠性を向上させるための方法としては、一般的に滑沢剤を添加する方法が知られているが、これらの滑沢剤はステアリン酸マグネシウム、タルク、シリカ、酸化マグネシウム、シリコーン（例えばジメチルポリシロキサン等）、パラフィン等の易水溶性ではない成分である。そのため、滑沢剤を使用して打錠されたタブレット洗浄剤をコーヒーマシンの洗浄に使用すると、易水溶性ではない成分が溶け残ったり、再析出を起こすために、コーヒーフィルターや配管の目詰まりを発生させたり、コーヒーマシンを損傷させてしまうという問題があった。
また特許文献１では、成形性を高めるためにノニオン性界面活性剤を使用することが開示されている。しかしながら、ノニオン性界面活性剤は一般的に液体の状態で流通しており、固体原料を混合、成形、打錠するという方法が採用されるタブレット洗浄剤を製造する方法において、液体原料を使用する場合、あらかじめ粉末原料に対して液体原料を噴霧して混合するという工程が必要となり作業性が低下してしまうという問題もあった。
【０００６】
本発明は、上述した問題を解決するためにされたものであり、打錠性が良好で、かつ、コーヒーフィルター及び配管の目詰まりを起こしにくく、コーヒーマシンを傷つけにくいコーヒーマシン用タブレット洗浄剤を提供することを目的とする。
【課題を解決するための手段】
【０００７】
すなわち、本発明のコーヒーマシン用タブレット洗浄剤は、（Ａ）アルカリ剤、（Ｂ）キレート剤及び（Ｃ）滑沢剤を含み、上記（Ｃ）滑沢剤が、アニオン界面活性剤であることを特徴とする。
【０００８】
本発明のコーヒーマシン用タブレット洗浄剤は、（Ａ）アルカリ剤及び（Ｂ）キレート剤を含んでいるため、コーヒー汚れを洗浄することができる。
（Ｃ）滑沢剤として用いられるアニオン界面活性剤は、打錠前の洗浄剤粉末の流動性を向上させることによって、該洗浄剤粉末のモールドへの充填性を向上させることができる。また、洗浄剤粉末とモールドとの摩擦を低下させることによって、圧縮性及び離型性を高めることができる。
さらに、アニオン界面活性剤は易水溶性であるため、コーヒーマシン内部で使用される場合に、コーヒーフィルターや配管が目詰まりすることを抑制することができる。また、固形物が残らないため、洗浄対象物であるコーヒーマシンを傷つけにくい。
【０００９】
本発明のコーヒーマシン用タブレット洗浄剤では、上記（Ｃ）滑沢剤の水に対する５０℃での溶解度が１ｇ／１００ｇ以上であることが好ましい。
（Ｃ）滑沢剤の水に対する５０℃での溶解度が１ｇ／１００ｇ以上であると、水に対する溶解性が高く、コーヒーフィルターや配管の目詰まりをさらに抑制することができる。
【００１０】
本発明のコーヒーマシン用タブレット洗浄剤では、上記（Ｃ）滑沢剤は、ラウリン酸ナトリウム、ラウリン酸カリウム、ミリスチン酸ナトリウム、ミリスチン酸カリウム、アルキル硫酸ナトリウム、アルキル硫酸カリウム、α−オレフィンスルホン酸ナトリウム、α−オレフィンスルホン酸カリウム、第二級アルカンスルホン酸ナトリウム及び第二級アルカンスルホン酸カリウムからなる群から選択される少なくとも一種であることが好ましい。
（Ｃ）滑沢剤がラウリン酸ナトリウム、ラウリン酸カリウム、ミリスチン酸ナトリウム、ミリスチン酸カリウム、アルキル硫酸ナトリウム、アルキル硫酸カリウム、α−オレフィンスルホン酸ナトリウム、α−オレフィンスルホン酸カリウム、第二級アルカンスルホン酸ナトリウム及び第二級アルカンスルホン酸カリウムからなる群から選択される少なくとも一種であると、打錠性が特に良好となる。
【００１１】
本発明のコーヒーマシン用タブレット洗浄剤では、上記（Ｃ）滑沢剤の含有量は、０．５〜２０重量％であることが好ましい。
（Ｃ）滑沢剤の含有量が０．５〜２０重量％であると、打錠性を向上させつつ、コーヒーフィルターや配管の目詰まりを起こしにくい。
（Ｃ）滑沢剤の含有量が０．５重量％未満であると、打錠性を向上させる効果が充分でないことがある。一方、（Ｃ）滑沢剤の含有量が２０重量％を超えると、錠剤が中間部から層状に剥離（ラミネーションともいう）したり、錠剤の上下に分離する（キャッピングともいう）等の打錠障害が起こりやすくなる。
【００１２】
本発明のコーヒーマシン用タブレット洗浄剤では、上記（Ａ）アルカリ剤は、アルカリ金属の水酸化物、炭酸塩、炭酸水素塩又はケイ酸塩であることが好ましい。
（Ａ）アルカリ剤がアルカリ金属の水酸化物、炭酸塩、炭酸水素塩又はケイ酸塩であると、コーヒー汚れに対する洗浄性が高い。
【００１３】
本発明のコーヒーマシン用タブレット洗浄剤では、（Ａ）アルカリ剤は、水酸化ナトリウム、水酸化カリウム、炭酸ナトリウム、炭酸カリウム、炭酸水素ナトリウム、炭酸水素カリウム、ケイ酸ナトリウム、ケイ酸カリウム及びこれらの水和物からなる群から選択される少なくとも一種であることが好ましい。
（Ａ）アルカリ剤が、水酸化ナトリウム、水酸化カリウム、炭酸ナトリウム、炭酸カリウム、炭酸水素ナトリウム、炭酸水素カリウム、ケイ酸ナトリウム、ケイ酸カリウム及びこれらの水和物からなる群から選択される少なくとも一種であると、コーヒー汚れに対する洗浄性が特に高い。
【００１４】
本発明のコーヒーマシン用タブレット洗浄剤では、上記（Ｂ）キレート剤は、アミノカルボン酸系キレート剤、ホスホン酸系キレート剤、ヒドロキシカルボン酸系キレート剤及び多価カルボン酸系キレート剤からなる群から選択される少なくとも一種であることが好ましい。
（Ｂ）キレート剤が、アミノカルボン酸系キレート剤、ホスホン酸系キレート剤、ヒドロキシカルボン酸系キレート剤及び多価カルボン酸系キレート剤からなる群から選択される少なくとも一種であると、コーヒー汚れに対する洗浄性が特に高い。
【００１５】
本発明のコーヒーマシン用タブレット洗浄剤は、さらに（Ｄ）酸素系漂白剤を含むことが好ましい。
本発明のコーヒーマシン用タブレット洗浄剤がさらに（Ｄ）酸素系漂白剤を含むと、コーヒー汚れに対する洗浄性を向上させることができる。
【００１６】
本発明のコーヒーマシン用タブレット洗浄剤では、上記（Ｄ）酸素系漂白剤は、アルカリ金属過炭酸塩、アルカリ金属過硫酸塩及びアルカリ金属過ホウ酸塩からなる群から選択される少なくとも一種であることが好ましい。
（Ｄ）酸素系漂白剤が、アルカリ金属過炭酸塩、アルカリ金属過硫酸塩及びアルカリ金属過ホウ酸塩からなる群から選択される少なくとも一種であると、コーヒー汚れに対する洗浄性をさらに向上させることができる。
【００１７】
本発明のコーヒーマシン用タブレット洗浄剤の製造方法は、（Ａ）アルカリ剤、（Ｂ）キレート剤及び（Ｃ）滑沢剤を含み、上記（Ｃ）滑沢剤がアニオン界面活性剤である粉末状の洗浄剤組成物を打錠機で打錠することを特徴とする。
【００１８】
（Ａ）アルカリ剤、（Ｂ）キレート剤及び（Ｃ）滑沢剤を含み、（Ｃ）滑沢剤がアニオン界面活性剤である粉末状の洗浄剤組成物は打錠性に優れる。従って、このような洗浄剤組成物を用いると、打錠障害を起こしにくく、打錠機で効率的に打錠することができる。
【発明の効果】
【００１９】
本発明のコーヒーマシン用タブレット洗浄剤は、打錠性が良好で、コーヒーフィルター及び配管の目詰まりを起こしにくい。
【発明を実施するための形態】
【００２０】
本発明のコーヒーマシン用タブレット洗浄剤は、（Ａ）アルカリ剤、（Ｂ）キレート剤及び（Ｃ）滑沢剤を含み、上記（Ｃ）滑沢剤が、アニオン界面活性剤であることを特徴とする。
本発明のコーヒーマシン用タブレット洗浄剤は、（Ｃ）滑沢剤としてアニオン界面活性剤を用いているため、滑沢剤が水に溶け残りにくく、コーヒーフィルター及び配管の目詰まりの発生を抑制することができる。
【００２１】
本発明のコーヒーマシン用タブレット洗浄剤を構成する、（Ａ）アルカリ剤、（Ｂ）キレート剤及び（Ｃ）滑沢剤について、それぞれ説明する。
【００２２】
本発明のコーヒーマシン用タブレット洗浄剤において、（Ａ）アルカリ剤の種類は特に限定されないが、アルカリ金属の水酸化物、炭酸塩、炭酸水素塩又はケイ酸塩であることが好ましい。
アルカリ金属の水酸化物としては、水酸化ナトリウム、水酸化カリウム等が挙げられる。
アルカリ金属の炭酸塩としては、炭酸ナトリウム、炭酸カリウム等が挙げられる。
アルカリ金属の炭酸水素塩としては、炭酸水素ナトリウム、炭酸水素カリウム等が挙げられる。
アルカリ金属のケイ酸塩としては、ケイ酸ナトリウム及びケイ酸カリウム等が挙げられる。
上述したアルカリ金属の炭酸塩、炭酸水素塩、ケイ酸塩は、水和物であってもよい。
【００２３】
（Ａ）アルカリ剤としては、水酸化ナトリウム、水酸化カリウム、炭酸ナトリウム、炭酸カリウム、炭酸水素ナトリウム、炭酸水素カリウム及びこれらの水和物からなる群から選択される少なくとも一種であるであることが好ましく、炭酸ナトリウム、炭酸カリウム及びこれらの水和物からなる群から選択される少なくとも一種であることがより好ましい。
【００２４】
本発明のコーヒーマシン用タブレット洗浄剤における（Ａ）アルカリ剤の含有量は、特に限定されないが、５〜５０重量％であることが好ましく、７．５〜４５重量％であることがより好ましく、１０〜４０重量％であることがさらに好ましい。
【００２５】
本発明のコーヒーマシン用タブレット洗浄剤において、（Ｂ）キレート剤の種類は特に限定されないが、アミノカルボン酸系キレート剤、ホスホン酸系キレート剤、ヒドロキシカルボン酸系キレート剤及び多価カルボン酸系キレート剤からなる群から選択される少なくとも一種であることが好ましい。
【００２６】
アミノカルボン酸系キレート剤としては、エチレンジアミン四酢酸（ＥＤＴＡ）、ニトリロ三酢酸（ＮＴＡ）、ジエチレントリアミン五酢酸（ＤＴＰＡ）、ヒドロキシエチルエチレンジアミン三酢酸（ＨＥＤＴＡ）、トリエチレンテトラミン六酢酸（ＴＴＨＡ）、グルタミン酸二酢酸（ＧＬＤＡ）、ヒドロキシエチルイミノ二酢酸（ＨＩＤＡ）、ジヒドロキシエチルグリシン（ＤＨＥＧ）、アスパラギン酸二酢酸（ＡＳＤＡ）、エチレンジアミンコハク酸（ＥＤＤＳ）、メチルグリシン二酢酸（ＭＧＤＡ）又はこれらの塩等が挙げられる。
【００２７】
ホスホン酸系キレート剤としては、ヒドロキシエチリデンホスホン酸（ＨＥＤＰ）、ニトリロトリメチレンホスホン酸（ＮＴＭＰ）、ホスホノブタントリカルボン酸（ＰＢＴＣ）等が挙げられる。
上記キレート剤はホスホン酸部分の少なくとも一部が塩になっていてもよい。
【００２８】
ヒドロキシカルボン酸系キレート剤としては、例えば、リンゴ酸、クエン酸、乳酸、酒石酸、グルコン酸又はこれらの塩が挙げられる。
【００２９】
多価カルボン酸系キレート剤としては、例えば、シュウ酸、グルタル酸、アジピン酸、フマル酸、マロン酸、ピメリン酸、スベリン酸、アゼライン酸、セバシン酸、イソフタル酸、テレフタル酸及びこれらの塩等が挙げられる。なおカルボキシル基を複数有するものであっても、ヒドロキシル基を有する化合物は、ヒドロキシカルボン酸系のキレート剤とする。
なお、（Ｂ）キレート剤には、後述する酸剤として機能するものもある。
【００３０】
上記キレート剤（Ｂ）における塩としては、例えば、カリウム、ナトリウム等のアルカリ金属の塩；マグネシウム、カルシウム等のアルカリ土類金属の塩を挙げることができる。中でも、アルカリ金属の塩が好ましく、ナトリウム塩又はカリウム塩がより好ましい。
【００３１】
本発明のコーヒーマシン用タブレット洗浄剤における（Ｂ）キレート剤の含有量は、特に限定されないが、１〜５０重量％であることが好ましく、５〜４５重量％であることがより好ましい。
【００３２】
本発明のコーヒーマシン用タブレット洗浄剤において、（Ｃ）滑沢剤は、アニオン界面活性剤である。
また（Ｃ）滑沢剤は標準状態（２５℃、１気圧）において固体粉末である。
（Ｃ）滑沢剤が標準状態において液体であると、滑沢剤としての効果を果たすことができず、打錠性を低下させてしまう。
【００３３】
標準状態において固体粉末状のアニオン界面活性剤としては、ラウリン酸ナトリウム、ラウリン酸カリウム、ミリスチン酸ナトリウム、ミリスチン酸カリウム、アルキル硫酸ナトリウム、アルキル硫酸カリウム、α−オレフィンスルホン酸ナトリウム、α−オレフィンスルホン酸カリウム、第二級アルカンスルホン酸ナトリウム及び第二級アルカンスルホン酸カリウム等が挙げられる。
【００３４】
（Ｃ）滑沢剤の水に対する溶解度は特に限定されないが、５０℃において１ｇ／１００ｇ以上であることが好ましい。
【００３５】
本発明のコーヒーマシン用タブレット洗浄剤において、上記（Ｃ）滑沢剤の含有量は、０．５〜２０重量％であることが好ましい。
（Ｃ）滑沢剤の含有量が０．５〜２０重量％であると、打錠性を向上させつつ、コーヒーフィルターや配管の目詰まりを起こしにくい。
（Ｃ）滑沢剤の含有量が０．５重量％未満であると、打錠性を向上させる効果が充分でないことがある。一方、（Ｃ）滑沢剤の含有量が２０重量％を超えると、ラミネーションやキャッピング等の打錠障害が起こりやすくなる。
【００３６】
本発明のコーヒーマシン用タブレット洗浄剤は、従来滑沢剤として使用されている、ステアリン酸、ステアリン酸マグネシウム、ステアリン酸カルシウム、ステアリン酸亜鉛、ステアリン酸ナトリウム等のステアリン酸金属塩、ショ糖ステアリン酸エステル等のショ糖脂肪酸エステル、グリセリン脂肪酸エステル、タルク、シリカ、パラフィン、酸化マグネシウム等の易水溶性ではない成分（以下、(Ｃ’)成分と記載する）を含まないことが好ましい。
上記（Ｃ’）成分を含むと、溶け残りや再析出した成分がコーヒーフィルターや配管の目詰まりを発生させたり、コーヒーマシンを損傷させてしまう。
（Ｃ’）成分は、具体的には、水に対する５０℃での溶解度が１ｇ／１００ｇ未満のものを指す。
【００３７】
本発明のコーヒーマシン用タブレット洗浄剤は、ノニオン界面活性剤を含まないことが好ましい。
ノニオン界面活性剤は一般的に液体原料であるため、タブレット洗浄剤の製造工程において作業性が低下する。
【００３８】
本発明のコーヒーマシン用タブレット洗浄剤は、さらに（Ｄ）酸素系漂白剤を含むことが好ましい。
（Ｄ）酸素系漂白剤を（Ａ）アルカリ剤及び（Ｂ）キレート剤と併用することにより、コーヒー汚れに対する洗浄性を向上させることができる。
（Ｄ）酸素系漂白剤としては、アルカリ金属炭酸塩の過酸化水素付加物（アルカリ金属過炭酸塩ともいう）、アルカリ金属過硫酸塩及びアルカリ金属過ホウ酸塩が挙げられ、これらの中ではアルカリ金属過炭酸塩が好ましい。
アルカリ金属過炭酸塩としては、過炭酸ナトリウム、過炭酸カリウムなどが挙げられ、アルカリ金属過硫酸塩としては、過硫酸ナトリウム、過硫酸カリウムなどが挙げられ、アルカリ金属過ホウ酸塩としては、過ホウ酸ナトリウム、過ホウ酸カリウムなどが挙げられる。
【００３９】
本発明のコーヒーマシン用タブレット洗浄剤における（Ｄ）酸素系漂白剤の含有量は、特に限定されないが、１〜４５重量％であることが好ましく、５〜４０重量％であることがより好ましく、３〜３０重量％であることが更に好ましく、１０〜２８重量％であることが最も好ましい。
本発明のコーヒーマシン用タブレット洗浄剤における（Ｄ）の含有量が１〜４５重量％であると、コーヒー汚れに対して充分な洗浄力を発揮することができる。
洗浄剤組成物の全量に対する（Ｄ）酸素系漂白剤の含有量が４５重量％を超えた場合、アルカリ剤（Ａ）及びキレート剤（Ｂ）の含有量が相対的に少なくなってしまい、コーヒー汚れに対して充分な洗浄力を発揮できないことがある。一方、（Ｄ）酸素系漂白剤の含有量が１重量％未満の場合、（Ｄ）酸素系漂白剤の絶対量が少なすぎて、コーヒー汚れに対する洗浄性を充分に向上させることができない場合がある。
【００４０】
本発明のコーヒーマシン用タブレット洗浄剤は、（Ａ）アルカリ剤、（Ｂ）キレート剤、（Ｃ）滑沢剤、（Ｄ）酸素系漂白剤、以外の（Ｅ）添加剤を含んでいてもよい。
（Ｅ）添加剤としては、例えば、芒硝、酸剤、結合剤、防腐剤、殺菌剤、酵素、色素、香料、着色料、消泡剤、腐食防止剤等が挙げられる。（Ｅ）添加剤としては、従来から洗浄剤用の添加剤として用いられているものを好適に用いることができる。
【００４１】
芒硝（硫酸ナトリウム）を添加することで、打錠前の洗浄剤組成物の取扱い性を向上させることができる。さらに、錠剤の大きさを調整することができる。
【００４２】
酸剤を添加することで、タブレット洗浄剤の水に対する溶解性を向上させることができる。
酸剤としては、コハク酸等が挙げられる。
結合剤を添加することで、タブレット洗浄剤の打錠性、及び、打錠されたタブレット洗浄剤の硬度を調整することができる。
結合剤としては、ポリエチレングリコール等が挙げられる。
ポリエチレングリコールの平均分子量は特に限定されないが、１０００以上であることが好ましい。
【００４３】
本発明のコーヒーマシン用タブレット洗浄剤は、製造時の作業性を考慮すると、固体原料のみで構成されていることが好ましい。タブレット洗浄剤が固体原料のみで構成されていると、製造時の作業性が良好である。
【００４４】
本発明のコーヒーマシン用タブレット洗浄剤のｐＨは特に限定されないが、１重量％水溶液の２５℃におけるｐＨが９．５〜１２であることが好ましい。
【００４５】
本発明のコーヒーマシン用タブレット洗浄剤は重量が０．５〜５．０ｇであることが好ましい。
重量が上記範囲であると、コーヒーマシンの１回の洗浄に適当であり、打錠性にも優れている。
【００４６】
本発明のコーヒーマシン用タブレット洗浄剤の形状は特に限定されないが、円盤状であることが好ましい。
該円盤の直径は１０〜３０ｍｍであることが好ましい。
該円盤の厚さは２〜１０ｍｍであることが好ましい。
【００４７】
本発明のコーヒーマシン用タブレット洗浄剤は、コーヒーマシンを洗浄するために特に有効である。コーヒーマシンの種類は特に限定されず、例えばドリップ式、エスプレッソ式等のように、コーヒー豆又はコーヒー粉をマシンに投入するものであってもよく、予め一定量のコーヒー粉が充填された容器をコーヒー液の抽出毎に交換するカプセル式やカフェポッド式であってもよい。また上記コーヒーマシンは半自動式であっても全自動式であってもよく、コーヒー液を含む飲料（カプチーノ、カフェラテ、カフェオレ等）を供するためのコーヒーマシンであってもよい。
【００４８】
本発明のコーヒーマシン用タブレット洗浄剤を製造する方法について説明する。
本発明のコーヒーマシン用タブレット洗浄剤は、例えば本発明のコーヒーマシン用タブレット洗浄剤の製造方法により製造することができる。
本発明のコーヒーマシン用タブレット洗浄剤の製造方法は、（Ａ）アルカリ剤、（Ｂ）キレート剤及び（Ｃ）滑沢剤を含み、上記（Ｃ）滑沢剤がアニオン界面活性剤である粉末状の洗浄剤組成物を打錠機で打錠することを特徴とする。
（Ａ）アルカリ剤、（Ｂ）キレート剤及び（Ｃ）滑沢剤を含み、（Ｃ）滑沢剤がアニオン界面活性剤である粉末状の洗浄剤組成物は打錠性に優れる。従って、このような洗浄剤組成物を用いると、打錠障害を起こしにくく、打錠機で効率的に打錠することができる。
【００４９】
本発明のコーヒーマシン用タブレット洗浄剤の製造方法において、粉末状の洗浄剤組成物には、（Ａ）アルカリ剤、（Ｂ）キレート剤及び（Ｃ）滑沢剤の他に、必要に応じて（Ｄ）酸素系漂白剤及び（Ｅ）添加剤等が含まれていてもよい。
粉末状の洗浄剤組成物を構成する（Ａ）アルカリ剤、（Ｂ）キレート剤、（Ｃ）滑沢剤、（Ｄ）酸素系漂白剤及び（Ｅ）添加剤としては、本発明のコーヒーマシン用タブレット洗浄剤を構成する成分と同じものを用いることができる。各種成分の含有量や好ましい化合物の種類についても同様である。
また（Ｃ’）やノニオン界面活性剤などの、含有量が少ない、又は、含まないことが好ましい化合物についても同様である。
【００５０】
粉末状の洗浄剤組成物は、（Ａ）アルカリ剤、（Ｂ）キレート剤及び（Ｃ）滑沢剤及び必要に応じて添加される（Ｄ）酸素系漂白剤及び（Ｅ）添加剤等をリボンミキサー、ナウターミキサー、ドラムミキサー等で混合することにより調製することができる。
得られた粉末状の洗浄剤組成物は、そのまま打錠機で打錠してもよいし、顆粒に成形した後に、打錠機で打錠してもよい。
打錠機は単打式の打錠機であってもよく、連続式の打錠機であってもよい。
【００５１】
続いて、得られた粉末状の洗浄剤組成物を打錠機で打錠する。
打錠方法は特に限定されないが、直接打錠法、顆粒圧縮法のいずれでもよい。
ただし、（Ｃ）滑沢剤としてアニオン界面活性剤を含む粉末状の洗浄剤組成物は打錠性に優れるため、直接打錠法での打錠が適している。
【実施例】
【００５２】
以下に本発明をより具体的に説明する実施例を示すが、本発明はこれらの実施例に限定されるものではない。なお実施例において、特に断らない限り「部」は「重量部」を「％」は「重量％」をそれぞれ意味する。
【００５３】
（実施例１〜１１及び比較例１〜５）
（タブレット洗浄剤の作製）
表１に示す処方に従い、（Ａ）アルカリ剤、（Ｂ）キレート剤、（Ｃ）滑沢剤、（Ｄ）酸素系漂白剤及び（Ｅ）添加剤を混合して、実施例１〜１１及び比較例１〜５に係る洗浄剤組成物（粉末）を得た。なお、ポリエチレングリコールは結合剤であり、平均分子量が８６００の粉末状であった。また、（Ｃ’）として使用したジメチルポリシロキサン及びノニオン界面活性剤であるプルロニックＬ−３１は、液体状であった。液体原料を含むものは、まず液体原料を芒硝に噴霧して均一に混合した後、さらに他の原料を混合するという２段階の混合手順で洗浄剤組成物（粉末）を調製した。一方、液体原料を含まないものは、全原料を一度に混合するという１段階の混合手順で洗浄剤組成物（粉末）を調製した。
続いて、得られた洗浄剤組成物（粉末）約２ｇを、連続打錠機［（株）畑鐵工所製、ＨＴ−Ｇ２０］を用いて打錠し、実施例１〜１１及び比較例１〜５に係るタブレット洗浄剤を得た。錠剤の寸法は、厚さ３．６ｍｍ、直径２０ｍｍであった。
【００５４】
（作業性評価）
以下の方法で作業性を評価した。結果を表１に示す。
○：洗浄剤組成物（粉末）の調製が１段階の混合手順である。
×：洗浄剤組成物（粉末）の調製が２段階の混合手順である。
【００５５】
（打錠性評価１、２：バインディング防止効果、キャッピング防止効果）
洗浄剤組成物（粉末）を、連続打錠機［（株）畑鐵工所製、ＨＴ−Ｇ２０］を用いて１０００錠連続で打錠した。得られたタブレット洗浄剤１０００錠についてバインディングの有無、キャッピングの有無を確認し、バインディング発生率及びキャッピング発生率を求めた。結果を表１に示す。
なお、連続打錠では、事前に約１分間の試運転を行い、その間に打錠したものは除外した。
（バインディン防止効果）
○：バインディング発生率が０．５％未満
×：バインディング発生率が０．５％以上
（キャッピング防止効果）
○：キャッピング発生率が０．５％未満
×：キャッピング発生率が０．５％以上
【００５６】
（打錠性評価３：連続打錠性評価）
洗浄剤組成物（粉末）を、連続打錠機［（株）畑鐵工所製、ＨＴ−Ｇ２０］を用いて１００００錠連続で打錠した。１００００錠打錠した後、打錠後の杵の表面に洗浄剤組成物が付着しているかどうかを判断した。
○：１００００錠連続打錠後も、杵の表面に洗浄剤組成物が付着していない。
×：１００００錠連続打錠後に杵の表面に洗浄剤組成物が付着している、又は、連続打錠回数が１００００回に達する前に、杵の表面に洗浄剤組成物が付着することによる打錠障害が発生したため、連続打錠を中止した。
【００５７】
（打錠性評価：総合）
バインディング防止効果、キャッピング防止効果及び連続打錠性の評価のうち、全ての評価が○のものを総合評価○とし、１つ以上の評価項目が×であったものを総合評価×とした。結果を表１に示す。
【００５８】
（洗浄性評価）
煮沸したコーヒー液にプラスチック板を浸漬させ、一晩自然冷却させた。
その後、プラスチック板を取り出し、乾燥させることでコーヒー汚れの付着した試験板を作製した。
続いて、タブレット洗浄剤の重量が１重量％となるように水道水に溶解させた水溶液（洗浄液）を準備し、この洗浄液中に、上記試験板を７０℃で３分間浸漬し、その後流水ですすいだ。すすぎ後の試験板の表面を目視で観察し、残存する汚れの程度を以下の基準で判定した。結果を表１に示す。
◎：汚れ落ちが非常によく、汚れが確認できない。
○：汚れ落ちがよく、わずかな汚れしか確認できない。
△：汚れ落ちが悪く、明らかに汚れが確認できる。
【００５９】
（溶解性評価）
実施例１〜１１及び比較例１〜５に係るタブレット洗浄剤２ｇを５０℃の水１００ｇに溶解し、１５分間撹拌溶解させた後、その外見を目視で確認し、以下の基準で評価した。
○：不溶物がみられない。
×：不溶物がみられる。
【００６０】
【表１】
2019189817.tif 000002
【００６１】
表１の結果より、本発明のコーヒーマシン用タブレット洗浄剤は、打錠性に優れ、コーヒーフィルター及び配管の目詰まりを起こしにくいことがわかった。一方、（Ｃ’）成分を用いた比較例１〜４に係るタブレット洗浄剤は目詰まりを起こしやすいことがわかった。さらに、液体原料を用いた比較例４〜５に係るタブレット洗浄剤では、作業性が低下することがわかった。